(57)【要約】【課題】識別対象物を照射する光が、例えば一点から拡散するように識別対象物を照らす場合と比較して、識別対象物の表面に陰影を生じやすくすることができるアダプタ装置を提供する。【解決手段】アダプタ装置１０は、カメラ装置８１２と発光装置８１４とが取り付けられたスマートフォン８００を支持する支持部３０と、発光装置８１４からの光が、識別対象物９００の撮影される面９０２に対して垂直な方向から見た場合に同一の方向から一様な光となるように、発光装置８１４からの光を制限する制限部３００とを有する。【選択図】図６
2020052091.tif 000002
【特許請求の範囲】
【請求項１】
撮影部と発光部とが本体に取り付けられた端末装置を支持する支持部と、
前記発光部からの光が、識別対象物の撮影される面に対して垂直な方向から見た場合に同一方向からの一様な帯状の光となるように、前記発光部からの光の進行を制限する制限手段と、
を有するアダプタ装置。
【請求項２】
前記制限手段は、前記発光部からの光が通過する通過孔を備える請求項１記載のアダプタ装置。
【請求項３】
撮影部と発光部とが本体に取り付けられた端末装置を支持する支持部と、
前記発光部からの光が通過する平面形状からなる通過孔を備え、前記発光部からの光の進行を制限する制限手段と、
を有するアダプタ装置。
【請求項４】
前記制限手段は、前記発光部からの光が直接に識別対象物を照らさないように、前記発光部からの光の進行を制限する請求項１から３いずれか記載のアダプタ装置。
【請求項５】
前記制限手段は、前記発光部からの光が識別対象物の撮影される面を斜めから照らすように、前記発光部からの光の進行を制限する請求項１から４いずれか記載のアダプタ装置。
【請求項６】
前記制限手段は、前記撮影部側の空間と前記発光部側の空間とを仕切る仕切部を有する請求項１から５いずれか記載のアダプタ装置。
【請求項７】
前記仕切部は、前記端末装置本体の前記本体の表面における前記撮影部と前記発光部との間の位置に一端部が接触する請求項６記載のアダプタ装置。
【請求項８】
前記通過孔が、前記仕切部に形成されている請求項６又は７記載のアダプタ装置。
【請求項９】
前記発光部からの光が通過する筐体をさらに有し、
前記筐体は、遮光性を有する請求項１から８いずれか記載のアダプタ装置。
【請求項１０】
前記筐体は、前記撮影部から識別対象物までの距離が、前記撮影部の識別対象物を撮影可能な最短距離以上となるように形状が定められている請求項９記載のアダプタ装置。
【請求項１１】
前記撮影部から識別対象物までの距離をＬ１とし、
前記通過孔の高さＬ２とし、
Ｌ２／Ｌ１＝Ａとした場合に、
０．０８≦Ａ≦０．２６
である請求項２から１０いずれか記載のアダプタ装置。
【請求項１２】
前記端末装置の特定の機種に適用される請求項１から１１いずれか記載のアダプタ装置。
【請求項１３】
適用可能な前記端末装置の機種を、操作者に提示するための提示手段をさらに有する請求項１２記載のアダプタ装置。
【請求項１４】
適用可能な前記端末装置の機種を、適用可能な前記端末装置が装着されているか否かを判別する判別装置に提示する提示手段をさらに有する請求項１２記載のアダプタ装置。
【発明の詳細な説明】
【技術分野】
【０００１】
本発明は、アダプタ装置に関する。
【背景技術】
【０００２】
特許文献１には、カメラに装着されるための開口部と、周囲光を遮る遮蔽部材と、前記遮蔽部材の内側に設けられ、前記開口部を介して撮影される物体に光を照射する光源とを有するアダプタ装置が記載されている。
【０００３】
特許文献２には、コードの印刷品質を検証するために用いられるコード検証機であって、検証対象となるコードを撮影するためのカメラと照明光源とを少なくとも備える携帯情報端末と、前記携帯情報端末を装着可能なアダプタと、を備え、前記アダプタは、前記検証対象となるコードに対して前記カメラが所定の距離を隔てて対向するように前記携帯情報端末を位置決めして保持する端末装着部を有する遮光性の筐体と、前記端末装着部に装着された前記携帯情報端末の照明光源から出射される照明光の光路を変更することにより、前記コードに対して前記照明光を斜めに照射する光路変更手段と、を備えることを特徴とするコード検証機が記載されている。
【先行技術文献】
【特許文献】
【０００４】
【特許文献１】特開２００７−２７９１２８号公報
【特許文献２】特表２０１４−５１５８４５号公報
【発明の概要】
【発明が解決しようとする課題】
【０００５】
識別対象物の表面に生じる陰影のランダムパターンを用いて識別対象物を一意識別する技術が知られている。上述のような技術においては、一意識別のための十分な陰影が識別対象部の表面に生じない虞がある。
【０００６】
本発明は、識別対象物を照射する光が、例えば一点から拡散するように識別対象物を照らす場合と比較して、識別対象物の表面に陰影を生じやすくすることができるアダプタ装置を提供することを目的とする。
【課題を解決するための手段】
【０００７】
請求項１に係る本発明は、
撮影部と発光部とが本体に取り付けられた端末装置を支持する支持部と、
前記発光部からの光が、識別対象物の撮影される面に対して垂直な方向から見た場合に同一方向からの一様な帯状の光となるように、前記発光部からの光の進行を制限する制限手段と、
を有するアダプタ装置である。
【０００８】
請求項２に係る本発明は、前記制限手段は、前記発光部からの光が通過する通過孔を備える請求項１記載のアダプタ装置である。
【０００９】
請求項３に係る本発明は、
撮影部と発光部とが本体に取り付けられた端末装置を支持する支持部と、
前記発光部からの光が通過する平面形状からなる通過孔を備え、前記発光部からの光の進行を制限する制限手段と、
を有するアダプタ装置である。
【００１０】
請求項４に係る本発明は、前記制限手段は、前記発光部からの光が直接に識別対象物を照らさないように、前記発光部からの光の進行を制限する請求項１から３いずれか記載のアダプタ装置である。
【００１１】
請求項５に係る本発明は、前記制限手段は、前記発光部からの光が識別対象物の撮影される面を斜めから照らすように、前記発光部からの光の進行を制限する請求項１から４いずれか記載のアダプタ装置である。
【００１２】
請求項６に係る本発明は、前記制限手段は、前記撮影部側の空間と前記発光部側の空間とを仕切る仕切部を有する請求項１から５いずれか記載のアダプタ装置である。
【００１３】
請求項７に係る本発明は、前記仕切部は、前記端末装置本体の前記本体の表面における前記撮影部と前記発光部との間の位置に一端部が接触する請求項６記載のアダプタ装置である。
【００１４】
請求項８に係る本発明は、前記通過孔が、前記仕切部に形成されている請求項６又は７記載のアダプタ装置である。
【００１５】
請求項９に係る本発明は、
前記発光部からの光が通過する筐体をさらに有し、
前記筐体は、遮光性を有する請求項１から８いずれか記載のアダプタ装置である。
【００１６】
請求項１０に係る本発明は、前記筐体は、前記撮影部から識別対象物までの距離が、前記撮影部の識別対象物を撮影可能な最短距離以上となるように形状が定められている請求項９記載のアダプタ装置である。
【００１７】
請求項１１に係る本発明は、
前記撮影部から識別対象物までの距離をＬ１とし、
前記通過孔の高さＬ２とし、
Ｌ２／Ｌ１＝Ａとした場合に、
０．０８≦Ａ≦０．２６
である請求項２から１０いずれか記載のアダプタ装置である。
【００１８】
請求項１２に係る本発明は、前記端末装置の特定の機種に適用される請求項１から１１いずれか記載のアダプタ装置である。
【００１９】
請求項１３に係る本発明は、適用可能な前記端末装置の機種を、操作者に提示するための提示手段をさらに有する請求項１２記載のアダプタ装置である。
【００２０】
請求項１４に係る本発明は、適用可能な前記端末装置の機種を、適用可能な前記端末装置が装着されているか否かを判別する判別装置に提示する提示手段をさらに有する請求項１２記載のアダプタ装置である。
【発明の効果】
【００２１】
請求項１に係る本発明によれば、識別対象物を照射する光が、例えば一点から拡散するように識別対象物を照らす場合と比較して、識別対象物の表面に陰影を生じやすくすることができる。
【００２２】
請求項２に係る本発明によれば、導光材や鏡等の光学部品を用いて光の進行を制限する場合と比較して、装置構造を簡単にすることができる。
【００２３】
請求項３に係る本発明によれば、識別対象物を照射する光が、例えば一点から拡散するように識別対象物を照らす場合と比較して、識別対象物の表面に陰影を生じやすくすることができるアダプタ装置を提供することができる。
【００２４】
請求項４に係る本発明によれば、発光部からの光が直接に識別対象物を照らす場合と比較して、識別対象物の表面に陰影を生じやすくすることができる。
【００２５】
請求項５に係る本発明によれば、発光部からの光が識別対象物の撮影される面を垂直な方向から照らす場合と比較して、識別対象物の表面に陰影を生じやすくすることができる。
【００２６】
請求項６に係る本発明によれば、仕切部を有せず、導光材や鏡等の光学部品を用いて光の進行を制限する場合と比較して、装置構造を簡単にすることができる。
【００２７】
請求項７に係る本発明によれば、仕切部が、端末装置の本体の表面における撮影部と発光部との間の位置から仕切部が離れている場合と比較して、発光部から撮影部へ直接に光が到達しにくくすることができる。
【００２８】
請求項８に係る本発明によれば、仕切部とは別に通過孔が形成される部材を設ける場合と比較して、装置の構造を簡単にできる。
【００２９】
請求項９に係る本発明によれば、筐体が遮光性を有しない場合と比較して、識別対象物の表面に陰影を生じやすくすることができる
【００３０】
請求項１０に係る本発明によれば、撮影部から識別対象物までの距離が、撮影部の識別対象物を撮影可能な最短距離よりも短くなるように筐体の形状が定められている場合と比較して、端末装置により撮影される識別対象物の画像を鮮明にすることができる。
【００３１】
請求項１１に係る本発明によれば、Ａが０．０８よりも小さい場合と比較して、識別対象物を照らす光を強くすることができ、識別対象物の表面に陰影を生じやすくすることができるとともに、Ａが０．２６よりも大きい場合と比較して、光が識別対象物に到達するまでに拡散しにくく、識別対象物の表面に陰影を生じやすくすることができる。
【００３２】
請求項１２に係る本発明によれば、例えば、機種に応じた調整機構等を設ける必要がなくなり、複数の機種に適用できるようにする場合と比較して装置の構造を簡単にすることができる。
【００３３】
請求項１３に係る本発明によれば、提示手段を有しない場合と比較して、他の機種用のアダプタ装置を用いるとの御使用をしにくくすることができる。
【００３４】
請求項１４に係る本発明によれば、判別装置を有しない場合と比較して、提供不可能な端末装置が装着され、その操作装置が操作されるとの誤操作を生じにくくすることができる。
【図面の簡単な説明】
【００３５】
【図１】アダプタ装置が装着されるスマートフォンを示し、図２（Ａ）は、スマートフォンの表側を示す図であって、図２（Ｂ）は、スマートフォンの裏側を示す図である。
【図２】アダプタ装置の斜視図である。
【図３】アダプタ装置の底面図である。
【図４】アダプタ装置の図２示す面Ａでの断面図である。
【図５】通過孔の大きさを説明する図である。
【図６】制限部による光の進行の制限を説明し、図６（Ａ）は、アダプタ装置の右側から光の進行を示す図であって、図６（Ｂ）は、アダプタ装置の下側から光の進行を示す図である。
【図７】図７（Ａ）は、アダプタ装置の第１の比較例を示す図であり、図７（Ｂ）はアダプタ装置の第２の比較例を示す図であり、図７（Ｃ）はアダプタ装置の第３の比較例を示す図である。
【発明を実施するための形態】
【００３６】
以下、本発明の実施形態を図面を参照して説明する。図１は、本発明の第１の実施形態であるアダプタ装置１０（例えば、図２を参照）が装着されるスマートフォン８００を示し、図１（Ａ）は、スマートフォン８００の表側を示していて、図１（Ｂ）は、スマートフォン８００の裏側を示している。
【００３７】
図１に示すように、スマートフォン８００は端末装置の一例であって、本体８０２を有し、本体８０２の表側の面８０４に、タッチパネル８１０が取り付けられている。タッチパネル８１０は、情報を表示する表示手段の一例であって、スマートフォン８００に所望の動作をさせるために操作される操作手段の一例である。
【００３８】
本体８０２の裏側の面８０６には、カメラ装置８１２が取り付けられている。カメラ装置８１２は、撮影部の一例であって、例えば、後述する例えば用紙等の識別対象物９００を撮影するために用いられる。本体８０２の裏側の８０６面には、発光装置８１４がさらに取り付けられている。発光装置８１４は、発光部の一例であって、発光装置８１４からの光は、例えば、用紙等の識別対象物９００を照らすために用いられる。
【００３９】
図２は、アダプタ装置１０の斜視図であり、図３はアダプタ装置１０の底面図であり、図４は、アダプタ装置１０の図に示す面Ａでの断面図である。図２、図３、図４に示すように、アダプタ装置１０は、スマートフォン８００を支持する支持部３０を有する。支持部３０は、スマートフォン８００が着脱可能の装着される装着部３２と、スマートフォン８００及び装着部３２を重力方向下側から支持する脚部４０とを有する。
【００４０】
アダプタ装置１０は、筐体１００をさらに有する。筐体１００は、その内側を発光装置８１４からの光が通過する。また、筐体１００は遮光性有する。筐体１００に遮光性をもたせるためには、例えば、筐体１００を黒色の材料で製造したり、筐体１００の例えば内側を黒色に塗装したりすればよい。筐体１００の底面には、開放部１０２が形成されていて、アダプタ装置１０は、開放部１０２が識別対象物９００の上側に位置するように、識別対象物９００の上に載せて用いられる。
【００４１】
筐体１００の材質としては、例えばダンボール等の厚紙や、例えば樹脂を用いることができる。ここで、筐体１００の遮光性を向上させるために、筐体１００の材料として樹脂を用いる場合は、黒色の樹脂を用いることが望ましく、筐体１００の材料としてダンボールを用いる場合は、筐体１００の内側が黒色となるように塗装をすることが望ましい。
【００４２】
筐体１００の形状は、カメラ装置８１２から識別対象物９００までの距離（図５における距離Ｌ１）が、カメラ装置８１２の識別対象物９００を撮影可能な最低距離以上となるように形状が定められている。
【００４３】
装着部３２と筐体１００とには、装着部３２と筐体１００とを貫通するように照射用貫通孔２０２が形成されていて、発光装置８１４からの光が照射用貫通孔２０２を通過して識別対象物９００を照らす。
【００４４】
装着部３２と筐体１００とには、装着部３２と筐体１００とを貫通するように、撮影用貫通孔２０４がさらに形成されている。撮影用貫通孔２０４は、装着部３２に装着されたスマートフォン８００のカメラ装置８１２に対応する位置に形成されていて、装着部３２に装着されたスマートフォン８００のカメラ装置８１２での、識別対象物９００の撮影を可能としている。
【００４５】
アダプタ装置１０は、仕切部１１０をさらに有する。仕切部１１０は、筐体１００内におけるカメラ装置８１２側の空間Ｓ１と、筐体１００内における発光装置８１４側の空間Ｓ２とを仕切っている。仕切部１１０は、筐体内に挿入される挿入筐体１２０の一部分と、装着部３２の一部である装着部３２のカメラ装置８１２と発光装置８１４との間の部分とから構成されている。
【００４６】
空間Ｓ２を囲い、空間Ｓ２を形成する壁部は、光の反射性を向上させるために、白色となっている。空間Ｓ２を囲い、空間Ｓ２を形成する壁部を白色とするには、壁部を白色で塗装したり、壁部に白色の紙等を貼り付けたりすればよい。
【００４７】
仕切部１１０は、端部の一例である上端部１１０ａが、スマートフォン８００の本体８０２の表面におけるカメラ装置８１２と発光装置８１４との間の位置に接触している。
【００４８】
アダプタ装置１０は、制限部３００をさらに有する。制限部３００は、発光装置８１４からの光の進行を制限する制限手段の一例であって、通過孔１１２を備えている。通過孔１１２は、仕切部１１０の下側（仕切部１１０の識別対象物９００側）に形成されている。このため、仕切部１１０とは別に、通過孔１１２を形成するための部材を、アダプタ装置１０は有しない。
【００４９】
また、通過孔１１２は、平面形状からなり、発光装置８１４からの光が、空間Ｓ２側から空間Ｓ１側へと通過孔１１２を通過する。
【００５０】
制限部３００による発光装置８１４からの光の進行の制限の詳細は後述する。
【００５１】
図５は、通過孔１１２の大きさを説明する図である。図５に示すように、カメラ装置８１２から識別対象物９００までの距離をＬ１とし、通過孔１１２の高さ、すなわち通過孔１１２の上端部から識別対象物９００の表面までの距離をＬ２とし、Ｌ２／Ｌ１＝Ａとした場合に、
０．０８≦Ａ≦０．２６
となるよう通過孔１１２の高さが定められている。
【００５２】
このため、Ａが０．０８よりも小さい場合と比較して、識別対象物を照らす光を強くすることができ、識別対象物の表面に陰影を生じやすくすることができるとともに、Ａが０．２６よりも大きい場合と比較して、光が識別対象物に到達するまでに拡散しにくくすることができ、識別対象物の表面に陰影を生じやすくすることができる
でき、識別対象物９００の面９０２に陰影を生じやすくすることができる。
【００５３】
図６は、制限部３００による光の進行の制限を説明する図であり、図６（Ａ）は、アダプタ装置１０の右側から光の進行を示す図であり、図６（Ｂ）は、アダプタ装置１０の下側から光の進行を示す図である。尚、図６においては、光の進行を模式的に矢印で示している。
【００５４】
図６に示すように、制限部３００の通過孔１１２は、発光装置８１４からの光が直接に識別対象物９００を照らさないように、発光装置８１４からの光の進行を制限している。また、制限部３００の通過孔１１２は、発光装置８１４からの光が、識別対象物９００の撮影される面９０２を、例えば斜め上等の斜めから照らすように、発光装置８１４からの光の進行を制限している。
【００５５】
通過孔１１２は、先述のように平面形状である。このため、例えば中空の円柱形状の側面の一部を切り取って通過孔として場合等と比較して、通過孔１１２を通過した光は拡散しにくい。また、図６（Ｂ）に示すように、制限部３００の通過孔１１２を通過した光は、識別対象物９００の撮影される面９０２に対して垂直な方向から見た場合に、図６（Ｂ）に示すように同一方向からの一様な帯状の光となる。
【００５６】
以上で説明をしたアダプタ装置１０は、スマートフォン８００の機種毎の仕様、性能、形状等に応じて、特定の機種のスマートフォン８００に適用されるように製造されている。ここで、スマートフォン８００の仕様、性能、形状等の例としては、例えばカメラ装置８１２の解像度や、例えばカメラ装置８１２の最短撮影可能距離や、例えば本体８０２の大きさ等を挙げることができる。
【００５７】
アダプタ装置１０は、提示部１１４をさらに有する（例えば、図４を参照）。提示部１１４は、アダプタ装置１０に適用可能なスマートフォン８００の機種を操作者に提示する提示手段の一例であって、カメラ装置８１２で撮影可能なように、例えば筐体１００内に、例えば識別対象物９００に接触するように配置されている。また、提示部１１４のカメラ装置８１２側には、アダプタ装置１０に適用可能なスマートフォン８００の機種面が、例えば文字等で記載されている。また、この文字等による機種名の記載は、カメラ装置８１２で撮影され、例えばタッチパネル８１０に表示される。
【００５８】
また、提示部１１４で、アダプタ装置１０を適用可能なスマートフォン８００の機種を操作者に提示するのみならず、アダプタ装置１０を適用可能なスマートフォン８００の機種を、アダプタ装置１０が適用可能な端末装置が装着されているか否かを判別する判別装置（不図示）に提示するようにしてもよい。上述の判別装置は、例えは、アダプタ装置１０とは別体であり、例えば、スマートフォン８００と別体である。
【００５９】
上述の判別装置にアダプタ装置１０を適用可能なスマートフォン８００の機種を提示部１１４が提示するようにする場合、機種名は例えばバーコードで表示され、例えばバーコードで表示された機種名がカメラ装置８１２により撮影され、撮影されたバーコードが上述の判別装置に送信される。
【００６０】
また、アダプタ装置１０を適用できない機種のスマートフォン８００がアダプタ装置１０に装着されているとの判別が判別装置によりなされた場合に、後述する照会装置が、識別対象物９００の照会をしないようにしてもよい。
【００６１】
以上のように構成されたアダプタ装置１０と、スマートフォン８００とを用いて識別対象物９００を一意識別する場合には、アダプタ装置１０がスマートフォン８００に取り付けられ、スマートフォン８００で識別対象物９００表面のランダムパターンが撮影され、撮影されたランダムパターンが、照会用画像として照会装置（不図示）に送信される。
【００６２】
そして、上述の照会装置は、事前にサンプル表面のランダムパターンの画像が撮影され、事前に記憶された記憶画像のいずれかと、スマートフォン８００からの照会用画像とが一致するか否かを判別し、スマートフォン８００からの照会用画像が記憶画像のいずれかと一致した場合に、スマートフォン８００で撮影された識別対象物９００が、一致した記憶画像に対応するサンプルであると一意識別される。
【００６３】
また、照会装置による判別結果は、上述の照会装置からスマートフォン８００に送信され、その判別結果がスマートフォン８００のタッチパネル８１０に表示される。
【００６４】
ここで、識別対象物９００の面９０２のランダムパータンとして、面９０２の凹凸により生じる陰影を用いる場合には、陰影が明確であることが望ましい。この点、以上のように構成されたアダプタ装置１０を用いると、識別対象物９００を照らす光が、面９０２に対して垂直な方向から見た場合に同一方向からの一様な帯状の光であるため、識別対象物９００を照らす光が異なる方向からの光である場合や、識別対象物９００を照らす光が不均一である場合や、識別対象物を照らす光が不均一である場合と比較して、面９０２に生じる陰影が鮮明となる。
【００６５】
また、以上のように構成されたアダプタ装置１０を用いた場合、識別対象物９００を照らす光が、平面形状である通過孔１１２を通過した光であるため、例えば、中空の円柱形状の側面の一部を切り取って形成された通過孔等の曲面形状の通過孔を通過した光と比較して一様となり、面９０２に生じる陰影が鮮明となる。
【００６６】
また、以上のように構成されたアダプタ装置１０を用いた場合、発光装置８１４からの光が、空間Ｓ２を囲う壁部で反射した後に識別対象物９００を照らし、直接に識別対象物９００の面９０２を照らさない。このため、発光装置８１４からの光が、面９０２を直接に照らす場合と比較して、面９０２に生じる陰影が鮮明となる。
【００６７】
また、以上のように構成されたアダプタ装置１０を用いた場合、発光装置８１４からの光が斜めから識別対象物９００を照らしているため、識別対象物９００からの光が、真上から識別対象物９００の面９０２を照らす場合と比較して、面９０２に生じる陰影が鮮明となる。
【００６８】
図７には、アダプタ装置１０及び識別対象物９００の撮影方法の比較例が説明されていて、図７（Ａ）は、１の比較例を示す図であり、図７（Ｂ）は、第２の比較例を示す図であり、図７（Ｃ）は、第３の比較例を示す図である。
【００６９】
先述の実施形態においては、アダプタ装置１０は、仕切部１１０を有していた。これに対して、図７（Ａ）に示す第１の比較例では、アダプタ装置１０は、仕切部１１０を有していない。このため、この第１の比較例では、アダプタ装置１０は、実施形態のアダプタ装置１０が有していた仕切部１１０に形成されていた通過孔１１２も有していない。また、先述の実施形態では、筐体１００は、例えば黒色の材料を用いて製造されていて、遮光性を有していた。これに対して、この第１の比較例では、筐体は乳白色の材料を用いて製造されていて、遮光性を有しないか、遮光性を有するとしても、その遮光性は、先述の第１の実施形態よりも低い。また、先述の実施形態では、カメラ装置８１２による識別対象物９００の撮影時に、発光装置８１４が点灯していた。これに対して、この第１の比較例では、カメラ装置８１２による識別対象物９００の撮影時に、発光装置８１４は点灯させない。
【００７０】
第２の比較例は、図７（Ｂ）に示すように、第１の比較例と同様に仕切部１１０を有せず、通過孔１１２を有しない。また、第２の比較においても、先述の第１の比較例と同様に、筐体１００は、重白色の材料を用いて製造されていて、遮光性を有しないか、遮光性が低い。また、この第２の比較例では、先述の実施形態と同様に、カメラ装置８１２による識別対象物９００の撮影時に、発光装置８１４が発光する。
【００７１】
先述の実施形態では、空間Ｓ２を形成する壁部は白色であった。これに対して、図７（Ｃ）に示す第３の比較例では、空間Ｓ２を形成する壁部は、この壁部の材料であるダンボールの色である茶色となっている。また、この第３の比較例では、カメラ装置８１２から識別対象物９００までの距離をＬ１とし、通過孔１１２の上端部から識別対象物９００の面９０２までの距離をＬ２とし、Ｌ１／Ｌ２＝Ａとした場合に、
Ａ=０．０８
となるように定められている。
【００７２】
以上で説明をした比較例１、比較例２では、識別対象物９００の面９０２に生じるランダムパターンの陰影が生じないか、陰影が生じたとしても不鮮明であり、カメラ装置８１２が撮影した画像を用いての識別対象物９００の一意認識はできなかった
【００７３】
また、以上で説明をした比較例３では、識別対象物９００の面に９０１にランダムパターンの陰影が生じ、生じた陰影をカメラ装置８１２を用いて撮影した画像を用いての識別対象物９００の一意識別をすることができた。しかしながら、比較例３において、識別対象物９００の面９０２に生じるランダムパターンの陰影は、先述の実施例と比較して不鮮明であった。
【符号の説明】
【００７４】
１０      アダプタ装置
３０      支持部
１００    筐体
１１０    仕切部
１１０ａ  上端部
１１２    通過孔
１１４    提示部
３００    制限部
８００    スマートフォン
８０２    本体
８１２    カメラ装置
８１４    発光装置
９００    識別対象物
９０２    面
【図１】
2020052091.tif 000003
【図２】
2020052091.tif 000004
【図３】
2020052091.tif 000005
【図４】
2020052091.tif 000006
【図５】
2020052091.tif 000007
【図６】
2020052091.tif 000008
【図７】
2020052091.tif 000009